(57)【特許請求の範囲】
【請求項１】
遊技機の前面部に前後方向に互いに非接触で配置される２つの電気配線であって、遊技機に対して不正行為を行うために遊技機の前面部に穴を開けるために使用される道具の先端部を介して短絡状態に変化可能な２つの電気配線と、前記２つの電気配線間に電圧を印加する電圧印加手段と、前記２つの電気配線の短絡状態への変化を監視する短絡監視手段とを備えることを特徴とする遊技機における不正対策装置。
【請求項２】
前記２つの電気配線は、各々導電性薄板により構成されることを特徴とする請求項１に記載の遊技機における不正対策装置。
【請求項３】
前記２つの電気配線は、薄板状の絶縁層を挟んで互いに平行配置された薄板状の導電層からなり、前記絶縁層及び前記２つの導電層により電極シートが構成されることを特徴とする請求項１に記載の遊技機における不正対策装置。
【請求項４】
前記電極シート上には電気部品が実装されていないことを特徴とする請求項３に記載の遊技機における不正対策装置。
【請求項５】
前記２つの薄板状の導電層の各々の外面に、ハンダ層が設けられていることを特徴とする請求項３又は４に記載の遊技機における不正対策装置。
【請求項６】
前記２つの薄板状の導電層の各々の外面に、熱溶融可能な導電層が設けられていることを特徴とする請求項３又は４に記載の遊技機における不正対策装置。
【請求項７】
前記短絡監視手段は、前記２つの電気配線の短絡状態への変化を検出したとき、異常検出信号を出力することを特徴とする請求項１〜６のいずれかに記載の遊技機における不正対策装置。
【発明の詳細な説明】
【技術分野】
【０００１】
本発明は、パチンコ機、スロットマシンなど遊技機において、遊技機の前面から穴をこじ開けて不正な出球、メダルを取り出す行為を未然に防止するための不正対策装置に関する。
【背景技術】
【０００２】
産業技術の発展に伴い、遊技機もコンピュータ制御化が進み、複雑なゲーム性や華美な装飾制御などが可能になっている。しかし、そのような技術の進歩の反面で遊技機に対する不正行為、不正改造等の技術も進歩しており、いわゆる「ゴト行為」といわれる様々な不正行為の手口が発見されている。
【０００３】
このような様々な不正行為に対して各社、それぞれの手口に有効な対策を施している。特許文献１及び２には「ゴト行為」に対する対応策の一例が開示されている。
【０００４】
中でも、昨今のホール営業の場で発見された不正行為の手口の１つとして、「穴開けゴト」と言われる、ハンダ鏝や電気ドリルなどを用いて遊技機の前面部に穴をこじ開け、その穴にピアノ線や針金、セルロイドの薄片などを挿入することで不正な出球、メダルを得るといった手口がある。このような手口は、専用の工具を必要とした大胆な犯行であると言わざるを得ないものであるが、遊技機の装飾部や操作部などのありとあらゆる外周部に実施ができてしまうものである。また、そもそも遊技機の外周部が破壊され内部に異物が挿入されるといったことを想定していない遊技機が多いため、このような「穴開けゴト」に対する早急な対応策が望まれている。
【特許文献１】特開２００１−３３７６０５公報
【特許文献２】特開２００５−４６６４６公報
【発明の開示】
【発明が解決しようとする課題】
【０００５】
本発明は、上記のような不正行為の中でも特に「穴開けゴト」に対する対応策として有効で、「穴開けゴト」が行われたことを簡単な構成によって容易に検出可能にするとともに、「穴開けゴト」を未然に防止可能な遊技機における不正対策装置を提供することを目的とする。
【課題を解決するための手段】
【０００６】
本発明の遊技機における不正対策装置は、遊技機の前面部に前後方向に互いに非接触で配置される２つの電気配線であって、遊技機に対して不正行為を行うために遊技機の前面部に穴を開けるために使用される道具の先端部を介して短絡状態に変化可能な２つの電気配線と、前記２つの電気配線間に電圧を印加する電圧印加手段と、前記２つの電気配線の短絡状態への変化を監視する短絡監視手段とを備えることを特徴とする。ここで、前面部とは、遊技機の側面部、裏面部、上面部、下面部に対する用語であり、パチンコ遊技機の前面枠及びスロットマシンの前面扉部を含む。
【０００７】
［発明の効果］
本発明において、遊技機の前面部に対して「穴開けゴト」が行われていないときには、２つの電気配線は非接触状態に維持されているため、２つの電気配線は短絡状態へと変化しない。このため、短絡監視手段は、遊技機は正常状態に維持されていると判断する。一方、「穴開けゴト」が行われ、ハンダ鏝や電気ドリルなどで前面部に穴が開けられるとき、ハンダ鏝や電気ドリルの先端金属部分を介して２つの電気配線が短絡状態へと変化する。このため、短絡監視手段は、遊技機に異常事態が発生したと判断することができる。
【０００８】
したがって、本発明によると、「穴開けゴト」が行われたことを簡単な構成によって容易に検出可能になる。また、遊技機にこのような対策が施されていることが知られることによって、「穴開けゴト」を未然に防止することも可能となる。
【０００９】
ここで、前記２つの電気配線を各々導電性薄板により構成すると、短絡状態への変化を広範囲に検出することができる。
【００１０】
また、前記２つの電気配線は、薄板状の絶縁層を挟んで互いに平行配置された薄板状の導電層からなり、前記絶縁層及び前記２つの導電層により電極シートを構成すると、電極シートとしてフィルム基板やフレキシブル基板のような薄くて可撓性を有するものを使用できるため、設置場所の自由度が高まるとともに設置スペースの縮小化を図ることができる。
【００１１】
また、前記２つの薄板状の導電層の各々の外面に、ハンダ層を設けると、先端部が絶縁材料からなる道具を使用して「穴開けゴト」が行われた場合に、この先端部の外周に先端部自体の発熱や先端部との間での摩擦熱で溶融したハンダが付着しながら先端部が穴を開けてゆくようになるため、先端部に付着したハンダが２つの導電層間を短絡状態へと変化させるようになる。このため、先端部が絶縁材料からなる道具が使用された場合であっても、短絡監視手段は、遊技機に異常事態が発生したことを容易に判断できるようになる。
【００１２】
また、前記２つの薄板状の導電層の各々の外面に、熱溶融可能な導電層を設けると、「穴開けゴト」に使用した道具の先端部の外周に先端部自体の発熱や先端部との間での摩擦熱で溶融した導電層の導電材料が付着しながら先端部が穴を開けてゆくようになるため、先端部に付着した導電材料が２つの導電層間を短絡状態へと変化させるようになる。このため、上記のようなハンダ層を設けなくても、短絡監視手段は、遊技機に異常事態が発生したことを容易に判断できるようになる。
【００１３】
また、前記短絡監視手段は、前記２つの電気配線の短絡状態への変化を検出したとき、異常検出信号を出力するものとすると、異常検出信号に基づいて遊技機から音や光を発生させて異常を周囲に報知したり、異常検出信号をホールコンピュータへ送信するよってホールの監視室において異常を知ることができる。
【００１４】
また、前記電極シート上に電気部品を実装しないようにすると、「穴開けゴト」が行われて電極シートが使用不能になり電極シートの交換が必要になった場合でも、電極シートのみの交換で済み、電気部品の交換は行わなくて済むため、経済性に優れる。
【発明を実施するための最良の形態】
【００１５】
以下、本発明の実施形態を図面に基づいて説明する。
【００１６】
図１は、本発明の一実施形態に係る不正対策装置のブロック図、図２は、同不正対策装置が組み込まれるパチンコ遊技機の概略正面図、図３は、同パチンコ遊技機の上皿の概略平面図、図４は、同不正対策装置における短絡監視手段の処理内容を表したフローチャート、図５は、同不正対策装置における電極シートの構成図、図６は、「穴開けゴト」が行われたときの同電極シートの変化図、図７は、変形例に係る電極シートに対して「穴開けゴト」が行われたときの電極シートの変化図、図８は、不正対策装置が組み込まれるスロットマシンの概略正面図、図９は、同スロットマシンの前面扉部の側面図、図１０は、同前面扉部の図８図示A-A切断線による要部断面構成図、図１１は、変形例に係る不正対策装置の構成図をそれぞれ示す。
【００１７】
図１において、不正対策装置は、後述するようにパチンコ遊技機１００又はスロットマシン２００つまり遊技機の前面部に配設される電極シート１であって、遊技機前後方向aに互いに非接触状態で配置される２つの電気配線１１、１２を有する電極シート１と、この電極シート１に電圧を印加する電圧印加手段２と、電極シート１の短絡状態への変化を監視する短絡監視手段３と、この短絡監視手段３が電極シート１の短絡状態への変化を検出し、遊技機１００又は２００に異常が発生したと判断したとき、短絡監視手段３からの指示に基づき警報を発するスピーカ４及びランプ５と、同じく短絡監視手段３が遊技機１００又は２００に異常が発生したと判断したとき、短絡監視手段３から異常検出信号を受信するホールコンピュータ６とを備えて構成される。
【００１８】
上記不正対策装置をパチンコ遊技機１００に組み込む場合、図２及び図３に示すように、電極シート１は、前面枠１０１の裏面において上皿１０２の後壁部の前面１０２aと対面する領域に配置される。また、上記不正対策装置をスロットマシン２００に組み込む場合、図８〜図１０に示すように、電極シート１は、前面扉部２０１の装飾パネル２０２で覆われた蛍光灯など発光部材２０３の垂直取付板２０４の裏面に配設される。
【００１９】
電極シート１は、図５に示すように、樹脂材からなる絶縁層１３を２つの電気配線１１、１２で挟み、各電気配線１１、１２の外面に樹脂材からなる絶縁層１４、１５をコーティングして構成される。ここで、電気配線１１、１２は、薄板状の導電層からなる。なお、電極シート１は、各々導電性薄板からなる電気配線１１、１２と、２つの導電性薄板１１、１２間に形成された空間とにより構成するようにしてもよい。
【００２０】
また、電極シート１は、図７に示すように、図５図示の絶縁層１４、１５をハンダ層又は熱溶融可能な導電層１６、１７で置換して構成したものであってもよい。
【００２１】
次に、図４に基づいて短絡監視手段３による処理を説明する。
【００２２】
図４において、短絡監視手段３は、電圧印加手段２による電極シート１への電圧の印加を開始させる（S1）。
【００２３】
次に、電極シート１に異常が発生したか否か、つまり、電極シート１の２つの電気配線１１、１２間が短絡状態に変化したか否かを周期的に繰り返し判定する（S2）。
【００２４】
ここで、電気配線１１、１２間は、図５に示すように、正常時には絶縁層１３によって非接触状態であり絶縁状態に維持されるが、「穴開けゴト」が行われ、図６に示すように、ハンダ鏝や電気ドリルの先端金属部分３００が２つの電気配線１１、１２と接触するようになると、この金属部分を介して電気配線１１、１２は短絡状態へと変化する。短絡監視手段３では、この電極シート１の短絡状態への変化を具体的な電圧又は電流の変化として検出することができる。
【００２５】
また、電極シート１が図７で示した構成のものである場合、ハンダ鏝や電気ドリルの先端部３００が導電性を有していないものであっても、図７に示すように、その先端部３００自体の発熱又は摩擦熱によりハンダ層又は熱溶融可能な導電層１６が溶融して先端部３００に付着し、この先端部３００に付着した導電材料１６aによって２つの電気配線１１、１２を短絡状態へ変化させる。
【００２６】
ステップS2において、電気配線１１、１２間が短絡状態へと変化し、電極シート１に異常が発生したと判断した場合、外部から電極シート１を破損するような「穴開けゴト」が行われ遊技機１００又は２００に異常が発生したと判断し、ホールコンピュータ６に異常警告情報換言すると異常検出信号を出力し（S3）、また、警告ランプ５を点灯させ（S4）、さらに、スピーカ４から警告音を出力し（S5）、処理を終了する。
【００２７】
以上説明したように、本実施形態に係る不正対策装置は、遊技機１００又は２００の前面部（前面枠１０１又は前面扉部２０１）に前後方向に互いに非接触で配置される２つの電気配線１１、１２と、２つの電気配線１１、１２間に電圧を印加する電圧印加手段２と、２つの電気配線１１、１２の短絡状態への変化を監視する短絡監視手段３とを備え、「穴開けゴト」が行われ、ハンダ鏝や電気ドリルなどで前面部１０１又は２０１に穴が開けられるとき、ハンダ鏝や電気ドリルの先端金属部分３００を介して２つの電気配線１１、１２が短絡状態へと変化し、短絡監視手段３は、この短絡状態への変化を検出することにより遊技機１００又は２００に異常事態が発生したと判断することができる。
【００２８】
したがって、本実施形態によると、「穴開けゴト」が行われたことを簡単な構成によって容易に検出可能になる。また、遊技機１００又は２００にこのような対策が施されていることが知られることによって、「穴開けゴト」を未然に防止することも可能となる。
【００２９】
また、電極シート１を用いた場合、電極シート１は薄型であり可撓性を有するため、汎用性が高く任意の部位に取り付け可能である。上述した実施形態では、電極シート１は、パチンコ遊技機１００の前面枠１０１の裏面において上皿１０２の後壁部の前面１０２aと対面する領域、及び、スロットマシン２００の前面扉部２０１の装飾パネル２０２で覆われた蛍光灯など発光部材２０３の垂直取付板２０４の裏面に配設される。パチンコ遊技機１００の上皿１０２の裏面近傍には、賞球払出口や発射レールなどの遊技機１００が直接的に関与する部位が配設されているだけでなく、上皿１０２の上方に隣接して遊技領域が存在するため、本実施形態は、この上皿１０２に穴をこじ開けそこから針金やピアノ線、セルロイドなどの板片を挿入し、遊技領域まで侵入させるといった手口に対抗する手段として有効である。また、スロットマシン２００の多くは、前面の装飾パネル２０２の裏面近傍に、ホッパーと呼ばれるコイン払出装置が配設されており、このホッパーに対して異物を外部から挿入することにより誤作動を誘発し不正にコインを入手するような手口が見受けられる。こういった手口に対し、従来のようにスロットマシン２００の隙間からの異物の挿入を阻止するという対策だけでは不十分であり、スロットマシン２００そのものに穴をこじ開けその穴から異物を挿入するといった場合を想定した対策が望まれ、本実施形態はこの対策として有効である。また、パチンコ遊技機１００、スロットマシン２００ともに、プリペイドカードや、いわゆるクレジット手段と呼ばれるような電子的な遊技媒体計数手段などの操作部を誤作動させることにより不正に遊技媒体を入手するような手口もあることから、遊技媒体計数手段の近傍に本実施形態を配設することも有効な手段となる。
【００３０】
また、２つの薄板状の導電層１１、１２の各々の外面に、ハンダ層または熱溶融可能な導電層１６、１７を設けた場合、先端部３００が絶縁材料からなる道具を使用して「穴開けゴト」が行われた場合に、この先端部３００の外周に先端部３００自体の発熱や先端部３００との間での摩擦熱で溶融した導電材料１６aが付着しながら先端部３００が穴を開けてゆくようになるため、先端部３００に付着した導電材料１６aが２つの導電層１１、１２間を短絡状態へと変化させるようになる。このため、先端部３００が絶縁材料からなる道具が使用された場合であっても、短絡監視手段３は、遊技機１００又は２００に異常事態が発生したことを容易に判断できるようになる。
【００３１】
また、短絡監視手段３は、２つの電気配線１１、１２の短絡状態への変化を検出したとき、異常検出信号を出力するため、この異常検出信号に基づいて遊技機１００又は２００からスピーカ４やランプ５によって音や光を発生させて異常発生を周囲に報知したり、異常検出信号をホールコンピュータ６へ送信するよってホールの監視室において異常発生を知ることができる。
【００３２】
ここで、電極シート１上に電気部品を実装しないようにすると、「穴開けゴト」が行われて電極シート１が使用不能になり電極シート１の交換が必要になった場合でも、電極シート１のみの交換で済み、電気部品の交換は行わなく済むため、経済性に優れる。
【００３３】
図１１において、変形例に係る不正対策装置は、短絡監視手段３にPNPトランジスタ３１を備える。PNPトランジスタ３１のエミッタには、５Vの直流電圧が印加される。ベース・エミッタ間には、バイアス抵抗３２が接続される。ベースには、一端に５Vの直流電圧が印加された電極シート１の一方の電気配線１２の他端が接続される。コレクタには、保持回路３３が接続される。
【００３４】
遊技機１００又は２００の前面部１０１又は２０１に対して「穴開けゴト」が行われていないときには、PNPトランジスタ３１はオフ状態に維持され、保持回路３３に低レベル電圧が入力され、保持回路３３は、この低レベル電圧に基づきマイコン３４の入力ポートに遊技機１００又は２００が正常状態である旨の信号を出力する。一方、「穴開けゴト」が行われ、電気配線１１、１２間が短絡すると、バイアス抵抗３２を介してベース・エミッタ間に順電圧が印加され、PNPトランジスタ３１はオン状態へスイッチング動作を行い、保持回路３３に高レベル電圧が入力されるようになる。保持回路３３は、高レベル電圧が入力されると、この入力電圧に基づきマイコン３４の入力ポートに遊技機１００又は２００に異常が発生した旨の異常発生信号を出力し、この異常発生信号を入力したマイコン３４は、出力ポートから異常検出信号を図１図示のスピーカ４やランプ５やホールコンピュータ６に出力する。なお、図１１において、符号３５は、保持回路３３からマイコン３４への異常発生信号の出力を停止させ保持回路３３をリセットするためのリセット回路を表し、このリセット回路３５は、電源投入時にコンデンサ３６が所定の電圧まで充電されるまでの間、保持回路３３にリセット信号を出力する。リセット回路３５の出力側には、チャタリング防止用シュミットトリガ回路３７及び出力反転用シュミットトリガ回路３８が直列接続され、出力反転用シュミットトリガ回路３８の出力側は保持回路３３のクリア入力端子に接続されている。
【００３５】
上記のような図１１に示した不正対策装置によっても、「穴開けゴト」が行われたことを簡単な構成によって容易に検出可能になる。
【図面の簡単な説明】
【００３６】
【図１】本発明の一実施形態に係る不正対策装置のブロック図である。
【図２】同不正対策装置が組み込まれるパチンコ遊技機の概略正面図である。
【図３】同パチンコ遊技機の上皿の概略平面図である。
【図４】同不正対策装置における短絡監視手段の処理内容を表したフローチャートである。
【図５】同不正対策装置における電極シートの構成図である。
【図６】「穴開けゴト」が行われたときの同電極シートの変化図である。
【図７】変形例に係る電極シートに対して「穴開けゴト」が行われたときの電極シートの変化図である。
【図８】不正対策装置が組み込まれるスロットマシンの概略正面図である。
【図９】同スロットマシンの前面扉部の側面図である。
【図１０】同前面扉部の図８図示A-A切断線による要部断面構成図である。
【図１１】変形例に係る不正対策装置の構成図である。
【符号の説明】
【００３７】
１    電極シート
２    電圧印加手段
３    短絡監視手段
４    スピーカ
５    ランプ
６    ホールコンピュータ
１１、１２    電気配線（導電性薄板、導電層）
１３    絶縁層
１４、１５    絶縁層
１６、１７    ハンダ層又は溶融可能な導電層
【図１】
0004503557.tif 000002
【図２】
0004503557.tif 000003
【図３】
0004503557.tif 000004
【図４】
0004503557.tif 000005
【図５】
0004503557.tif 000006
【図６】
0004503557.tif 000007
【図７】
0004503557.tif 000008
【図８】
0004503557.tif 000009
【図９】
0004503557.tif 000010
【図１０】
0004503557.tif 000011
【図１１】
0004503557.tif 000012